(57)【要約】【課題】視力補正の機能が追加された液晶シャッタ眼鏡、テレビ受像機及びテレビ受像システムを提供する。【解決手段】液晶シャッタ眼鏡は、視力補正レンズ３a及び３ｂ及び視力補正レンズ３a及び３ｂを保持する視力補正レンズ用リム３０及び３１を含む視力補正手段３と、印加電圧に応じて入射光を透過又は遮断する液晶シャッタ４a及び４ｂ及び液晶シャッタ４a及び４ｂを保持する液晶シャッタ用リム４０及び４１を含む液晶シャッタ手段４とを備える。液晶シャッタ用リム４０及び４１は、視力補正レンズ用リム３０及び３１に対して着脱可能であり、コネクタ３５、３６、４５及び４６を介して相互に信号の送受信を行うことができる。【選択図】図４
2012155156.tif 000002
【特許請求の範囲】
【請求項１】
視力補正用のレンズ及び該レンズを保持するレンズ枠を含む視力補正手段と、
印加電圧に応じて入射光を透過又は遮断する液晶シャッタ、及び該液晶シャッタを保持し、前記レンズ枠と対向配置されるシャッタ枠を含む液晶シャッタ手段と
を備え、
前記レンズ枠及びシャッタ枠夫々に、互いを着脱可能に連結し相互間で信号の入出力を行う第一連結部及び第二連結部が設けられ、
前記液晶シャッタ手段は、
外部から送信された信号を受信する受信部と、
該受信部により受信された信号を、前記第二連結部を介して前記視力補正手段に出力する出力部と、
前記視力補正手段から出力された信号を、前記第二連結部を介して入力する入力部と
を備え、
前記視力補正手段は、
前記液晶シャッタ手段から出力された信号を、前記第一連結部を介して入力する入力部と、
該入力部により入力した信号に従い前記印加電圧を制御する信号を生成する制御部と、
該制御部により生成された信号を、前記第一連結部を介して前記液晶シャッタ手段に出力する出力部と
を備えることを特徴とする液晶シャッタ眼鏡。
【請求項２】
前記第一連結部及び第二連結部の先端は夫々、凹型及び凸型の形状を成していることを特徴とする請求項１に記載の液晶シャッタ眼鏡。
【請求項３】
液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、
前記シャッタ枠の内縁に弾性体が設けられていることを特徴とする液晶シャッタ眼鏡。
【請求項４】
前記液晶シャッタと重なり合う視力補正用のレンズを備え、
該レンズの周縁部が前記弾性体に嵌合していることを特徴とする請求項３に記載の液晶シャッタ眼鏡。
【請求項５】
液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、
レンズ枠と、
該レンズ枠を前記シャッタ枠と重なり合うように取り付けるための留め具と
を備えることを特徴とする液晶シャッタ眼鏡。
【請求項６】
前記留め具は弾性体であることを特徴とする請求項５に記載の液晶シャッタ眼鏡。
【請求項７】
前記レンズ枠内に前記液晶シャッタと重なり合う視力補正用のレンズを備えることを特徴とする請求項５又は６に記載の液晶シャッタ眼鏡。
【請求項８】
液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、
前記シャッタ枠に、前記シャッタ枠の内外に貫通する貫通孔が形成され、
前記シャッタ枠内に、前記貫通孔を通して前記シャッタ枠外から前記シャッタ枠内に挿入される視力補正用のレンズを前記液晶シャッタと重なり合うように収納する収納部が形成されている
ことを特徴とする液晶シャッタ眼鏡。
【請求項９】
視力補正用のレンズが前記収納部に収納してある
ことを特徴とする請求項８に記載の液晶シャッタ眼鏡。
【請求項１０】
液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、
視力補正用のレンズと、
該レンズを保持するレンズ枠と、
前記レンズ枠及びシャッタ枠を、前記レンズと前記液晶シャッタとが対向する方向に接離するように回動可能に連結する連結部と
を備えることを特徴とする液晶シャッタ眼鏡。
【請求項１１】
請求項１から１０のいずれか１項に記載の液晶シャッタ眼鏡に信号を送信することを特徴とするテレビ受像機。
【請求項１２】
テレビ受像機と、
該テレビ受像機から送信される信号を受信する請求項１から１０のいずれか１項に記載の液晶シャッタ眼鏡と
を備えることを特徴とするテレビ受像システム。
【発明の詳細な説明】
【技術分野】
【０００１】
本発明は液晶シャッタ眼鏡、テレビ受像機及びテレビ受像システムに関する。
【背景技術】
【０００２】
液晶シャッタ眼鏡は、３Ｄ映像システムで用いられる表示装置に表示されている右目用及び左目用の映像に同期させて右目用及び左目用の液晶シャッタを開閉し、右目用及び左目用の映像を透過又は遮断することにより３Ｄ映像を映し出す（例えば、特許文献１）。
【先行技術文献】
【特許文献】
【０００３】
【特許文献１】特開２０１０−２６６８４０号公報
【発明の開示】
【発明が解決しようとする課題】
【０００４】
一般の眼鏡を装着している者が３Ｄ映像を視聴する場合、視聴者は、眼鏡の上に３Ｄ映像視聴用の液晶シャッタ眼鏡を重ねて装着する必要がある。しかし、眼鏡及び液晶シャッタ眼鏡の形状は通常異なるため、両者を一緒に装着するのは容易ではない。また、視聴中、視聴者の顔の動きに伴い、液晶シャッタ眼鏡のレンズ部及び眼鏡のレンズの位置関係がずれ易いため、視聴者は随時、それらの位置関係を調整しなければならず不便であった。
【０００５】
そこで、本発明は斯かる事情に鑑みてなされたものであり、視力の弱い視聴者が一般の眼鏡の上に液晶シャッタ眼鏡を重ねて装着することなく３Ｄ映像の視聴を可能にする液晶シャッタ眼鏡、テレビ受像機及びテレビ受像システムを提供することを目的とする。
【課題を解決するための手段】
【０００６】
本発明の液晶シャッタ眼鏡は、視力補正用のレンズ及び該レンズを保持するレンズ枠を含む視力補正手段と、印加電圧に応じて入射光を透過又は遮断する液晶シャッタ、及び該液晶シャッタを保持し、前記レンズ枠と対向配置されるシャッタ枠を含む液晶シャッタ手段とを備え、前記レンズ枠及びシャッタ枠夫々に、互いを着脱可能に連結し相互間で信号の入出力を行う第一連結部及び第二連結部が設けられ、前記液晶シャッタ手段は、外部から送信された信号を受信する受信部と、該受信部により受信された信号を、前記第二連結部を介して前記視力補正手段に出力する出力部と、前記視力補正手段から出力された信号を、前記第二連結部を介して入力する入力部とを備え、前記視力補正手段は、前記液晶シャッタ手段から出力された信号を、前記第一連結部を介して入力する入力部と、該入力部により入力した信号に従い前記印加電圧を制御する信号を生成する制御部と、該制御部により生成された信号を、前記第一連結部を介して前記液晶シャッタ手段に出力する出力部とを備えることを特徴とする。
【０００７】
本発明によれば、視力補正手段及び液晶シャッタ手段を着脱可能にすると共に、両者に３Ｄ映像を視聴するために必要な機能（ハードウェア）を分配し、両者の間で所定の信号の入出力を行わせる構成にした。視聴者は、３Ｄ映像を視聴しないときには視力補正手段だけを装着し、それを一般の眼鏡と同様に使用する一方、３Ｄ映像を視聴するときには視力補正手段に液晶シャッタ手段を取り付けて使用する。視力補正手段に液晶シャッタ手段を取り付けると、両者は、一体化され、全体として液晶シャッタ眼鏡として機能を発揮する。本発明によれば、互いに着脱可能な視力補正手段及び液晶シャッタ手段が、３Ｄ映像の視聴の際に一体化される構成をとっているため、両者のレンズの位置関係にずれが生じることがない。よって、視聴者は、３Ｄ映像を視聴している間、従来の使用態様では必要であったレンズの位置関係の調整という煩わしい作業を行わなくてもすむ。
【０００８】
本発明の液晶シャッタ眼鏡は、前記第一連結部及び第二連結部の先端が夫々、凹型及び凸型の形状を成していることを特徴とする。
【０００９】
本発明によれば、視力補正手段に設けられた第１連結部の先端は凹型であるため、視聴者は、３Ｄ映像を視聴していないときに視力補正手段を単体で装着してもよい。その理由は、凸型形状と異なり凹型形状は外観上目立ちにくいからである。
【００１０】
本発明の液晶シャッタ眼鏡は、液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、前記シャッタ枠の内縁に弾性体が設けられていることを特徴とする。
【００１１】
本発明によれば、液晶シャッタのシャッタ枠の内縁に弾性体が設けられているため、視力補正レンズを弾性体により嵌合させることができ、それにより、視力補正レンズをシャッタ枠に密着させた状態で保持させることができる。
【００１２】
本発明の液晶シャッタ眼鏡は、前記液晶シャッタと重なり合う視力補正用のレンズを備え、該レンズの周縁部が前記弾性体に嵌合していることを特徴とする。
【００１３】
本発明によれば、視力補正用のレンズの周縁部が弾性体に嵌合しているため、レンズがシャッタ枠から外れにくい。
【００１４】
本発明の液晶シャッタ眼鏡は、液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、レンズ枠と、該レンズ枠を前記シャッタ枠と重なり合うように取り付けるための留め具とを備えることを特徴とする。
【００１５】
本発明によれば、レンズ枠とシャッタ枠とを重なり合うように取り付けるための留め具を備えているため、視力補正用のレンズを液晶シャッタの面に重なり合うように固定することができる。
【００１６】
本発明の液晶シャッタ眼鏡は、前記留め具が弾性体であることを特徴とする。
【００１７】
本発明によれば、留め具が弾性体（例えば、バネ）であるため、レンズ枠と液晶シャッタ枠との間に所望の開口を容易につくることができ、その開口から視力補正用のレンズをシャッタ枠内に簡単に挿入することができ、更に、視力補正用のレンズがシャッタ枠から外れ落ちることはない。
【００１８】
本発明の液晶シャッタ眼鏡は、前記レンズ枠内に前記液晶シャッタと重なり合う視力補正用のレンズを備えることを特徴とする。
【００１９】
本発明によれば、弾性体の留め具を用いて視力補正用のレンズが液晶シャッタと重なり合うようにレンズ枠内に保持されているため、視力補正用のレンズの取り付けが容易であり、更に、視力補正用のレンズがシャッタ枠から外れ落ちることはない。
【００２０】
本発明の液晶シャッタ眼鏡は、液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、前記シャッタ枠に、前記シャッタ枠の内外を貫通する貫通孔が形成され、前記シャッタ枠内に、前記貫通孔を通して前記シャッタ枠外から前記シャッタ枠内に挿入される視力補正用のレンズを前記液晶シャッタと重なり合うように収納する収納部が形成されていることを特徴とする。
【００２１】
本発明によれば、シャッタ枠にシャッタ枠の内外に貫通する貫通孔が形成され、その貫通孔から視力補正用のレンズをシャッタ枠内に挿入する構造をなしているため、視力補正用のレンズの取り付けが容易であり、更に、視力補正用のレンズがシャッタ枠から外れ落ちることはない。
【００２２】
本発明の液晶シャッタ眼鏡は、視力補正用のレンズが前記収納部に収納してあることを特徴とする。
【００２３】
本発明によれば、シャッタ枠に形成された貫通孔から挿入された視力補正用のレンズがシャッタ枠内に収容されているため、視力補正用のレンズの取り付けが容易であり、更に、視力補正用のレンズがシャッタ枠から外れ落ちることはない。
【００２４】
本発明の液晶シャッタ眼鏡は、液晶シャッタ、該液晶シャッタを保持するシャッタ枠及び外部から送信された信号を受信する受信部を備え、該受信部により受信された信号に基づき入射光を透過又は遮断する液晶シャッタ眼鏡において、視力補正用のレンズと、該レンズを保持するレンズ枠と、前記レンズ枠及びシャッタ枠を、前記レンズと前記液晶シャッタとが対向する方向に接離するように回動可能に連結する連結部とを備えることを特徴とする。
【００２５】
本発明によれば、視力補正用のレンズと、レンズを保持するレンズ枠と、レンズ枠及びシャッタ枠を、レンズと液晶シャッタとが対向する方向に接離するように回動可能に連結する連結部を有している。そのため、シャッタ枠に連結されたレンズ枠を回動させるだけで視力補正用のレンズを液晶シャッタに重ね合わせることができ、視力補正用のレンズの装着が容易に行える。更に、視力補正用のレンズはレンズ枠に連結されているため、視力補正用のレンズを紛失することもない。
【００２６】
本発明のテレビ受像機は、上記の液晶シャッタ眼鏡に信号を送信することを特徴とする。
【００２７】
本発明によれば、３Ｄ映像を視聴する際に一般の眼鏡に液晶シャッタ眼鏡を重ねて装着するという使用態様をとらないため、視聴者は、液晶シャッタ及び視力補正レンズの位置調整という面倒な作業を行う必要はない。よって、視聴者は、３Ｄ映像を安定した状態で視聴できる。
【００２８】
本発明のテレビ受像システムは、テレビ受像機と、該テレビ受像機から送信される信号を受信する上記の液晶シャッタ眼鏡とを備えることを特徴とする。
【００２９】
本発明によれば、３Ｄ映像を視聴する際に一般の眼鏡に液晶シャッタ眼鏡を重ねて装着するという使用態様をとらないため、視聴者は、液晶シャッタ及び視力補正レンズの位置調整という面倒な作業を行う必要はない。よって、視聴者は、３Ｄ映像を安定した状態で視聴できる。
【発明の効果】
【００３０】
本発明によれば、液晶シャッタ眼鏡に視力補正の機能を追加したため、視力の弱い視聴者は一般の眼鏡の上に液晶シャッタ眼鏡を重ねて装着するという従来の使用形態をとらなくてすみ、視聴者は、レンズの位置調整といった煩わしい作業を行わなくとも３Ｄ映像を視聴できる。
【図面の簡単な説明】
【００３１】
【図１】３Ｄ映像を視聴できるテレビ受像システムの概略図である。
【図２】表示装置の外観図である。
【図３】液晶シャッタ眼鏡の外観斜視図である。
【図４】液晶シャッタ眼鏡に含まれる液晶シャッタ部及び視力補正眼鏡部が分離した状態を示す分解斜視図である。
【図５】表示装置の一構成例を示すブロック図である。
【図６】液晶シャッタ眼鏡の構成例を示すブロック図である。
【図７】右目用及び左目用液晶シャッタの開閉動作と表示パネルに表示される右目用及び左目用の映像表示との関係を示す模式図である。
【図８】液晶シャッタ眼鏡と視力補正レンズとが分離した状態を示す分解斜視図である。
【図９】液晶シャッタ眼鏡と視力補正レンズとが分離した状態を示す分解斜視図である。
【図１０】取り付け用フレームが装着された液晶シャッタ眼鏡と、視力補正レンズとが分離した状態を示す分解斜視図である。
【図１１】可動式の取り付け用フレームが装着された液晶シャッタ眼鏡と、視力補正レンズとが分離した状態を示す分解斜視図である。
【図１２】液晶シャッタ眼鏡と視力補正レンズとが分離した状態を示す分解斜視図である。
【図１３】液晶シャッタ眼鏡に視力補正レンズが取り付けられている状態を示す斜視図である。
【発明を実施するための形態】
【００３２】
実施の形態１
以下、図面を参照して実施の形態１を具体的に説明する。
図１は、３Ｄ映像を視聴できるテレビ受像システムの概略図、図２は、表示装置の外観図、図３は、液晶シャッタ眼鏡の外観斜視図、図４は、液晶シャッタ眼鏡に含まれる液晶シャッタ部及び視力補正眼鏡部が分離した状態を示す分解斜視図である。
尚、図２Ａは表示装置１の外観正面図、図２Ｂは表示装置１の上面図である。
テレビ受像システムは、表示装置１及び液晶シャッタ眼鏡２を有する。表示装置１は、略直方体の表示パネル１ａ、表示パネル１ａの後側を覆うバックキャビネット１ｂ、スタンド１ｃ及び表示パネル１ａの縁部を取り囲むフロントキャビネット１ｄ及び液晶シャッタ眼鏡２に同期信号を赤外線により送信する同期信号送信部１ｅを有する。
【００３３】
表示パネル１ａは、例えば、液晶パネル、プラズマディスプレイパネル、有機ＥＬ（Electro Luminescence）パネル等であり、テレビチューナ、又は光学ドライブを有する画像再生装置から与えられる映像信号に基づき３Ｄ映像を表示する。
同期信号送信部１ｅは、フロントキャビネット１ｄの下部中央に設けられる。
表示パネル１ａは、バックキャビネット１ｂ及びフロントキャビネット１ｄにより把持される。スタンド１ｃは、表示パネル１ａ、バックキャビネット１ｂ及びフロントキャビネット１ｄを起立状態で支持する。
【００３４】
図３に示すように、液晶シャッタ眼鏡２は、ゴーグル形状に類似した形状を有し、視力補正眼鏡部３及び液晶シャッタ部４を含む。視力補正眼鏡部３は、一般の眼鏡のように使用者が日常的に装着し得るものである。視力補正眼鏡部３の外観は、概ね一般の眼鏡と同様であるが、視力補正眼鏡部３の内部には液晶シャッタ眼鏡の機能の一部を担う電気回路が搭載されている点で一般の眼鏡と異なる。すなわち液晶シャッタ部４を視力補正眼鏡部３に取り付けて両者を一体化させることにより全体として液晶シャッタ眼鏡としての機能が発揮されるため、使用者は、視力補正眼鏡部３に液晶シャッタ部４を取り付けることによって３Ｄ映像を視聴する。
【００３５】
図４に示すように、視力補正眼鏡部３は、ゴーグル形状に類似した形状を有し、右目用及び左目用の視力補正レンズ３ａ及び３ｂと、視力補正レンズ３ａ及び３ｂを保持するフレーム３ｃとを含む。
右目用及び左目用の視力補正レンズ３ａ及び３ｂは、矩形状であり、一般の眼鏡に用いられるレンズと同様のものである。
フレーム３ｃは、全体として略８の字形状を成すレンズ枠であるリム３０及び３１と、リム３０及び３１の外側縁の短手から延出する細長形状のテンプル３２及び３３と、リム３０及び３１の下側縁の間に形成された逆Ｖ字型の切り欠け３４と、矩形状のメス型コネクタ３５及び３６と、液晶シャッタ眼鏡２への電源供給のオンオフを切り替えるための矩形状の電源スイッチ３７とを含む。
【００３６】
リム３０及び３１の内縁には、上縁部３０ａ及び３０ｂと、下縁部３０ｃ及び３０ｄと、外側縁部３０ｅ及び３０ｆと、内側縁部３０ｇ及び３０ｈとが含まれる。視力補正レンズ３ａ及び３ｂは、リム３０及び３１の内縁に取り囲まれた状態でリム３０及び３１内に保持される。即ち、上縁部３０ａ及び３０ｂは、視力補正レンズ３ａ及び３ｂを下縁部３０ｃ及び３０ｄの方向に支持し、下縁部３０ｃ及び３０ｄは、視力補正レンズ３ａ及び３ｂを上縁部３０ａ及び３０ｂの方向に支持する。また、外側縁部３０ｅ及び３０ｆは、視力補正レンズ３ａ及び３ｂを内側縁部３０ｇ及び３０ｈの方向に支持する。更に、内側縁部３０ｇ及び３０ｈは、視力補正レンズ３ａ及び３ｂを外側縁部３０ｅ及び３０ｆの方向に支持する。
【００３７】
テンプル３２は、リム３０の外側縁部３０ｅの近傍の外縁からリム３０の裏面側、即ち、装着時における使用者の顔の方向に延在し、テンプル３３は、リム３０の外側縁部３０ｆの近傍の外縁からリム３０の裏面側に延在する。使用者は、テンプル３１及び３２の後部を耳に掛けると共にそれらにより側頭部を狭持させ、視力補正眼鏡部３を顔に装着する。
【００３８】
メス型コネクタ３５及び３６夫々は、リム３０及び３１の表面であって左右両側の短手の縁部の略中央に形成されている。一方、メス型コネクタ３５及び３６に対応するオス型コネクタ４５及び４６は矩形状であり、液晶シャッタ部４の裏面であって左右両側の短手の縁部の略中央に夫々形成されている。メス型コネクタ３５及び３６とオス型コネクタ４５及び４６とは着脱可能な構造をなし、オス型コネクタ４５及び４６をメス型コネクタ３５及び３６に差し込むことにより、液晶シャッタ部４及び視力補正眼鏡部３は一体化され、両者は物理的且つ電気的に接続された状態になる。
尚、視力補正眼鏡部３に設けるコネクタはメス型コネクタが好ましい。その理由は、視力補正眼鏡部３は日常的に装着される場合があるため、フレーム３ｃの表面から突出した部分があると、視力補正眼鏡３の外観を損ねるからである。
【００３９】
電源スイッチ３７は、テンプル３３の外面であってリム３０ｂの近傍に設けられている。電源スイッチ３７がオンされると液晶シャッタ眼鏡２は起動し、使用者は、表示パネル１ａに表示されている３Ｄ映像を見ることができるようになる。
【００４０】
液晶シャッタ部４は、視力補正眼鏡部３からテンプル３２及び３３を除いた部分の形状と略同一の形状を有する。液晶シャッタ部４は、右目用及び左目用の液晶シャッタ４ａ及び４ｂと、液晶シャッタ４ａ及び４ｂを保持するシャッタ枠であるリム４０及び４１と、オス型コネクタ４５及び４６と、表示装置１の同期信号送信部１ｅから送信される同期信号を受信する矩形状の同期信号受信部４７とを有する。
右目用及び左目用の液晶シャッタ４ａ及び４ｂの大きさ及び形状は、右目用及び左目用の視力補正レンズ３ａ及び３ｂの大きさ及び形状と略同一である。また、リム４０及び４１の大きさ及び形状は、リム３０及び３１の大きさ及び形状と略同一である。
【００４１】
前述した通り、オス型コネクタ４５及び４６は、視力補正眼鏡部３に設けられたメス型コネクタ３５及び３６に対応するコネクタである。オス型コネクタ４５及び４６をメス型コネクタ３５及び３６に差し込むことにより、液晶シャッタ部４と視力補正眼鏡部３とは一体化され、両者の間で各種信号の送受信を行えるようになる。
メス型コネクタ３５及び３６とオス型コネクタ４５及び４６としては、例えば、互いに挿脱可能なメス型及びオス型のＵＳＢ（登録商標）のコネクタを用いることができる。ＵＳＢは、Ｕｎｉｖｅｒｓａｌ  Ｓｅｒｉａｌ  Ｂｕｓの略である。
【００４２】
同期信号受信部４７は、リム４０及び４１の間に設けられている。同期信号受信部４７は、表示装置１の同期信号送信部１ｅから赤外線で送信される同期信号を受信し、受信した同期信号をオス型コネクタ４５又は４６、及びメス型コネクタ３５又は３６を介して、視力補正眼鏡部３の内部の回路に送る。
尚、上述した各部の形状は例示であり、丸形、三角形等の他の形状であってもよい。
【００４３】
図５は、表示装置の一構成例を示すブロック図、図６は、液晶シャッタ眼鏡の構成例を示すブロック図、図７は、右目用及び左目用液晶シャッタの開閉動作と表示パネルに表示される右目用及び左目用の映像表示との関係を示す模式図である。
【００４４】
図５に示すように、表示装置１は、表示制御部１００、映像入力部１１０、チューナ部１２０、ＡＶスイッチ１３０、信号処理部１４０、表示パネル１ａ、スピーカ１５０及び同期信号送信部１ｅを有する。
【００４５】
表示制御部１００は、ＣＰＵ（Central Processing Unit）、ＲＯＭ（Read Only Memory）、ＲＡＭ（Random Access Memory）等を有し、表示装置１の全体制御を行う。映像入力部１１０は、ＨＤＤレコーダ又はＢＤレコーダ等の画像再生装置から映像信号及び音声信号を受け取り、受け取った映像信号及び音声信号をＡＶスイッチ１３０に与える。チューナ部１２０は、アンテナＡが受信した映像信号及び音声信号から特定チャンネルの映像信号及び音声信号を選択し、選択した映像信号及び音声信号をＡＶスイッチ１３０に与える。ＡＶスイッチ１３０は、表示制御部１００による制御を受け、映像入力部１１０又はチューナ部１２０から受け取った映像信号及び音声信号を信号処理部１４０に与える。
【００４６】
信号処理部１４０は、ＡＶスイッチ１３０から映像信号及び音声信号を受け取った場合、表示制御部１００による制御を受け、１フレーム映像中の右目用映像及び左目用映像を作成する。表示制御部１００は、作成された右目用映像及び左目用映像を表示パネル１ａに表示させる。また、信号処理部１４０は、音声信号に対して信号処理を行う。表示制御部１００は、信号処理された音声信号をスピーカ１５０に与える。更に、信号処理部１４０は、液晶シャッタ眼鏡２が内蔵する右目用及び左目用液晶シャッタ４ａ及び４ｂの開閉動作を、表示パネル１ａでの右目用及び左目用映像の表示動作に同期させるために必要な同期信号を同期信号送信部１ｅに与える。
【００４７】
同期信号送信部１ｅは、赤外線エミッタ回路を含み、信号処理部１４０から受け取った同期信号を赤外線で液晶シャッタ眼鏡２の液晶シャッタ部４に向けて送信する。
【００４８】
図６に示すように、液晶シャッタ眼鏡２は、視力補正眼鏡部３及び液晶シャッタ部４を含む。
【００４９】
視力補正眼鏡部３は、液晶シャッタ眼鏡制御部３００、電池３１０、電源スイッチ３７、液晶シャッタ駆動部３３０、眼鏡用ポート３４０及びタイマ３５０を有する。一方、液晶シャッタ部４は、同期信号受信部４７、右目用及び左目用液晶シャッタ４ａ及び４ｂと、液晶シャッタ用ポート４２０を有する。
【００５０】
液晶シャッタ眼鏡制御部３００は、主に液晶シャッタ駆動部３３０の制御を行う。電池３１０は例えばボタン型リチウムイオン電池である。
【００５１】
同期信号受信部４７は、表示装置１から同期信号を受け取り、液晶シャッタ用ポート４２０を介して眼鏡用ポート３４０に送る。眼鏡用ポート３４０は、液晶シャッタ用ポート４２０から受け取った同期信号を液晶シャッタ眼鏡制御部３００に与える。液晶シャッタ眼鏡制御部３００は、眼鏡用ポート３４０から受け取った同期信号に従って液晶シャッタ駆動部３３０を制御する。液晶シャッタ駆動部３３０は、液晶シャッタ眼鏡制御部３００による制御を受け、右目用及び左目用液晶シャッタ駆動信号を作成し、眼鏡用ポート３４０及び液晶シャッタ用ポート４２０を介して右目用及び左目用液晶シャッタ４ａ及び４ｂに与える。右目用及び左目用液晶シャッタ駆動信号に応じて、右目用及び左目用液晶シャッタ４ａ及び４ｂに印加する電圧の状態（オン又はオフ）は切り替わる。即ち、液晶シャッタ眼鏡２は、表示装置１の同期信号送信部１ｅから受け取った同期信号に従って右目用及び左目用液晶シャッタ４ａ及び４ｂの開放及び閉鎖を交互に行う。例えば、液晶シャッタ眼鏡２は、右目用液晶シャッタ４ａを開放している間は左目用液晶シャッタ４ｂを閉鎖し、左目用液晶シャッタ４ｂを開放している間は右目用液晶シャッタ４ａを閉鎖する。液晶シャッタが開放されている間、入射光は透過し、閉鎖されている間、入射光は遮断される。したがって、右目用液晶シャッタ４ａが開放されて左目用液晶シャッタ４ｂが閉鎖されている間、右目用映像は、使用者の右目に投影される。また、左目用液晶シャッタ４ｂが開放されて右目用液晶シャッタ４ａが閉鎖されている間、左目用映像は、使用者の左目に投影される。つまり、表示パネル１ａに表示されている右目用映像及び左目用映像は、同期信号に従って使用者の右目及び左目に投影され、それにより視聴者は３Ｄ映像を知覚できる。
【００５２】
タイマ３５０は、同期信号受信部４７が同期信号を受信していない時間を計測し、その時間が所定時間を経過した場合、液晶シャッタ眼鏡制御部３００にタイムアウト信号を与える。例えば、表示装置１の電源が切られてから所定時間経過した場合、タイマ３５０はタイムアウト信号を液晶シャッタ眼鏡制御部３００に与える。また、表示装置１の電源が投入されている状態では、タイマ３５０は、３Ｄ映像の視聴が終了してからの時間を計測する。タイマ３５０は、その時間が所定時間を経過した場合、タイムアウト信号を液晶シャッタ眼鏡制御部３００に与える。タイマ３５０からタイムアウト信号を受け取った液晶シャッタ眼鏡制御部３００は、視力補正眼鏡部３の電源スイッチ３７を自動的にオフにする。こうした制御により、液晶シャッタ眼鏡２の電力消費量を節約することができる。
【００５３】
上述した液晶シャッタ眼鏡２の場合、ハードウェアの分配として、視力補正眼鏡部３に、液晶シャッタ眼鏡制御部３００、電池３１０、電源スイッチ３７、液晶シャッタ駆動部３３０等の多くのハードウェアを含ませる構成とした。その理由は、視力補正眼鏡部３を液晶シャッタ眼鏡部よりも重くすることにより、液晶シャッタ眼鏡２の重心を顔側に近づけることができ、その方が液晶シャッタ眼鏡を顔に装着した際の装着バランスを良好に保つことができるからである。しかし、装着バランスを適度に保てるのであれば、上記の分配とは異なる分配にしてもよい。
【００５４】
図７Ａは、右目用液晶シャッタを開放し、左目用液晶シャッタを閉鎖することにより使用者の右目に右目用映像を投影させた状態を示す。図７Ｂは、左目用液晶シャッタを開放し、右目用液晶シャッタを閉鎖することにより使用者の左目に左目用映像を投影させた状態を示す。
【００５５】
図７Ａに示すように、液晶シャッタ眼鏡２は、右目用映像８が表示パネル１ａに表示されている間、右目用液晶シャッタを開放し、左目用液晶シャッタを閉鎖する。また、図７Ｂに示すように、液晶シャッタ眼鏡２は、左目用映像９が表示パネルに表示されている間、右目用液晶シャッタを閉鎖し、左目用液晶シャッタを開放する。液晶シャッタ眼鏡２は、表示パネル１ａに表示される右目用映像８及び左目用映像９の切替と、右目用及び左目用液晶シャッタの開閉とを同期させ、右目用映像８及び左目用映像９を使用者の右目及び左目に投影させる。
【００５６】
以上の通り、液晶シャッタ眼鏡２は、視力の弱い使用者が視力補正のために日常的に装着することが可能な視力補正眼鏡部３及び３Ｄ映像を視聴するために必要な液晶シャッタ部４を含み、両者は、着脱可能な構成をとる。したがって、使用者は、３Ｄ映像を視聴する場合、液晶シャッタ部４を視力補正眼鏡部３に容易に取り付けることができる。また、使用者は、３Ｄ映像を視聴しない場合、液晶シャッタ部４を視力補正眼鏡部３から容易に取り外すことできる。さらに、液晶シャッタ部４を視力補正眼鏡３に取り付けると両者は一体化されるため、両者の位置関係は一定状態を保つ。
【００５７】
実施の形態２
次に、図面を参照して実施の形態２を具体的に説明する。
実施の形態１では、電気回路を夫々含む視力補正眼鏡部３及び液晶シャッタ部４を合体させ、それらが協働して液晶シャッタ眼鏡の機能を果たす形態を示した。これに対して、実施の形態２では、液晶シャッタ眼鏡のリムの内縁に弾性体を設け、一般に用いられる視力補正レンズを弾性体に装着させて保持することにより、液晶シャッタ眼鏡に視力補正の機能をもたせる形態を示す。
【００５８】
図８は、液晶シャッタ眼鏡と視力補正レンズとが分離した状態を示す分解斜視図である。
液晶シャッタ眼鏡５０は、矩形状の右目用及び左目用液晶シャッタ５０ａ及び５０ｂと、フレーム５０ｃとを有する。フレーム５０ｃは、右目用及び左目用液晶シャッタ５０ａ及び５０ｂを保持し全体として略８の字形状を成すシャッタ枠であるリム５０ｆ及び５０ｇと、リム５０ｆ及び５０ｇの外側縁の短手から延出する細長形状のテンプル５０ｄ及び５０ｅと、使用者の鼻に当てられる逆Ｖ字型の切り欠き５０ｈと、矩形状の電源スイッチ５７とを含む。
【００５９】
右目用及び左目用の視力補正レンズ５１及び５２は、右目用及び左目用液晶シャッタ５０ａ及び５０ｂと略同一の形状及び大きさを有する。
右目用及び左目用液晶シャッタ５０ａ及び５０ｂを保持するリム５０ｆ及び５０ｇの内縁であって右目用及び左目用液晶シャッタ５０ａ及び５０ｂの裏面側にある内縁には、ラバー５０ｉ及び５０ｊが設けられている。ラバーは、わずかな力で大きく伸び、外力を除くと瞬間的に元に戻るゴム弾性を有する弾性体である。したがって、視力補正レンズ５１及び５２の全縁をラバー５０ｉ及び５０ｊに容易に密着させることができる。視力補正レンズ５１及び５２をラバー５０ｉ及び５０ｊに密着させることにより、視力補正レンズ５１及び５２は、右目用及び左目用液晶シャッタ５０ａ及び５０ｂに重ねられた状態でリム５０ｆ及び５０ｇ内に保持される。
【００６０】
実施の形態２では、液晶シャッタ眼鏡５０のリム５０ｆ及び５０ｇの内縁にラバー５０ｉ及び５０ｊを設け、右目用及び左目用液晶シャッタ５０ａ及び５０ｂの裏面側から視力補正レンズ５１及び５２をラバー５０ｉ及び５０ｊに装着し、リム５０ｆ及び５０ｇ内に視力補正レンズ５１及び５２を保持する。実施の形態２によれば、簡易な構成で液晶シャッタ眼鏡５０に視力補正の機能をもたせることができる。
【００６１】
実施の形態３
次に、図面を参照して実施の形態３を具体的に説明する。
上述した実施の形態２では、液晶シャッタ眼鏡５０のリム５０ｆ及び５０ｇの内縁にラバー５０ｉ及び５０ｊを装着し、ラバー５０ｉ及び５０ｊを用いてリム５０ｆ及び５０ｇ内に視力補正レンズ５０ａ及び５０ｂを保持させる形態を示した。これに対して、実施の形態３では、ラバーの代わりにホルダ及びビスを用いて、液晶シャッタ眼鏡のリム内に視力補正レンズを保持させる形態を示す。
【００６２】
図９は、液晶シャッタ眼鏡と視力補正レンズとが分離した状態を示す分解斜視図である。
液晶シャッタ眼鏡６０は、矩形状の右目用及び左目用液晶シャッタ６０ａ及び６０ｂと、フレーム６０ｃとを有する。フレーム６０ｃは、右目用及び左目用液晶シャッタ６０ａ及び６０ｂを保持し全体として略８の字形状を成すシャッタ枠であるリム６０ｆ及び６０ｇと、リム６０ｆ及び６０ｇの外側縁の短手から延出する細長形状のテンプル６０ｄ及び６０ｅと、使用者の鼻に当てられる逆Ｖ字型の切り欠き６０ｈと、矩形状の電源スイッチ６７とを含む。
【００６３】
右目用及び左目用の視力補正レンズ６１及び６２は、右目用及び左目用液晶シャッタ６０ａ及び６０ｂと略同一の形状及び大きさを有する。
【００６４】
液晶シャッタ眼鏡６０は、ホルダ６０ｉ及びそれに対応するビス６０ｊと、ホルダ６０ｋ及びそれに対応するビス６０ｍと、ホルダ６０ｎ及びそれに対応するビス６０ｐとを有する。また、リム６０ｆ及び６０ｇの裏面には、ビス６０ｊ、６０ｍ及び６０ｐを通すビス穴（図示せず）が形成されている。例えば、３つのビス穴は、右目用液晶シャッタ６０ａの外側縁部近傍のリム６０ｆの短手の一部と、切り欠き６０ｈの左右にあるリム６０ｆ及び６０ｇの短手の一部と、左目用液晶シャッタ６０ｂの外側縁部近傍のリム６０ｇの短手の一部とに形成されている。３つのビス穴は、リム６０ｆ及び６０ｇの下縁部から略同一の高さに形成されており、３つのビス穴を結んだ線はリム６０ｆ及び６０ｇの下縁部に対して水平な線となる。
【００６５】
３つのホルダ６０ｉ、６０ｋ及び６０ｎは、右目用及び左目用液晶シャッタ６０ａ及び６０ｂの裏面側に視力補正レンズ６１及び６２を取り付けるために用いられる。例えば、ホルダ６０ｉは、ビス６０ｊにより切り欠き６０ｈの上側にあるリムの一部に取り付けられ、視力補正レンズ６１及び６２を右目用及び左目用液晶シャッタ６０ａ及び６０ｂに向けて押圧する。ホルダ６０ｋは、ビス６０ｍにより右目用液晶シャッタ６０ａの外側縁部近傍のリムの一部に取り付けられ、視力補正レンズ６１を右目用液晶シャッタ６０ａに向けて押圧する。ホルダ６０ｎは、ビス６０ｐにより左目用液晶シャッタ６０ｂの外側縁部近傍のリムの一部に取り付けられ、視力補正レンズ６２を左目用液晶シャッタ６０ｂに向けて押圧する。このように、３つのホルダ６０ｉ、６０ｋ及び６０ｎ及び３つのビス６０ｊ、６０ｍ及び６０ｐを用いることにより、視力補正レンズ６１及び６２は、右目用及び左目用液晶シャッタ６０ａ及び６０ｂに重ねられた状態でリム６０ｆ及び６０ｇ内に保持される。
【００６６】
実施の形態３では、３つのホルダ６０ｉ、６０ｋ及び６０ｎと、３つのビス６０ｊ、６０ｍ及び６０ｐを用いて、視力補正レンズ６１及び６２を右目用及び左目用液晶シャッタ６０ａ及び６０ｂの裏面側に保持する。実施の形態３によれば、簡易な構成で液晶シャッタ眼鏡６０に視力補正の機能をもたせることができる。
尚、上記の例では、視力補正レンズ６１及び６２を右目用及び左目用液晶シャッタ６０ａ及び６０ｂの裏面側に装着させるためのホルダ６０ｉ、６０ｋ及び６０ｎをビス６０ｊ、６０ｍ及び６０ｐを用いてリム６０ｆ及び６０ｇに固定しているが、ビス以外の種類の留め具を用いてホルダ６０ｉ、６０ｋ及び６０ｎを固定してもよい。
【００６７】
実施の形態４
次に、図面を参照して実施の形態４を具体的に説明する。
実施の形態３では、ホルダ及びビスを用いて、液晶シャッタ眼鏡のリム内に視力補正レンズを保持させる形態を示した。これに対して、実施の形態４では、液晶シャッタ眼鏡のフレームに対して着脱可能な視力補正レンズ取り付け用フレーム（以下、「取り付け用フレーム」と呼ぶ）を用いて視力補正レンズを液晶シャッタ眼鏡に保持させる形態を示す。
【００６８】
図１０は、取り付け用フレームが装着された液晶シャッタ眼鏡と、視力補正レンズとが分離した状態を示す分解斜視図である。
液晶シャッタ眼鏡７０は、矩形状の右目用及び左目用液晶シャッタ７０ａ及び７０ｂと、フレーム７０ｃとを有する。フレーム７０ｃは、右目用及び左目用液晶シャッタ７０ａ及び７０ｂを保持し全体として略８の字形状を成すシャッタ枠であるリム（図示せず）と、リムの外側縁の短手から延出する細長形状のテンプル７０ｄ及び７０ｅと、使用者の鼻に当てられる逆Ｖ字型の切り欠き７０ｉと、矩形状の電源スイッチ７７とを含む。
【００６９】
右目用及び左目用の視力補正レンズ７１及び７２は、右目用及び左目用液晶シャッタ７０ａ及び７０ｂと略同一の形状及び大きさを有する。
【００７０】
液晶シャッタ眼鏡７０は、取り付け用フレーム７０ｆを有する。取り付け用フレーム７０ｆは、視力補正レンズ７１及び７２を液晶シャッタ７０ａ及び７０ｂの裏面に重ねた状態でフレーム７０ｃに取り付けられる。フレーム７０ｃ及び取り付け用フレーム７０ｆには、ビス７０ｊ、７０ｋ及び７０ｍを通るビス穴（図示せず）が形成されている。視力補正レンズ７１及び７２は、取り付け用フレーム７０ｆのリム７０ｇ及び７０ｈと、液晶シャッタ７０ａ及び７０ｂとにより挟み込まれる。この状態で、ビス７０ｊ、７０ｋ及び７０ｍを用いて、取り付け用フレーム７０ｆをフレーム７０ｃに取り付ける。取り付けフレーム７０ｆの場合、ビス穴は、右目用液晶シャッタ７０ａの外側縁部近傍のリム７０ｇの短手の一部と、切り欠き７０ｉの上側にあるリム７０ｇ及び７０ｈの短手の一部と、左目用液晶シャッタ７０ｂの外側縁部近傍のリム７０ｈの短手の一部とに形成されている。フレーム７０ｃの場合、取り付けフレーム７０ｆをフレーム７０ｃに取り付けた場合、取り付けフレーム７０ｆに形成されているビス穴に対応する位置にビス穴が形成されている。
【００７１】
右目用及び左目用液晶シャッタ７０ａ及び７０ｂの裏面に視力補正レンズ７１及び７２を被せ、更に取り付け用フレーム７０ｆを被せる。これにより、右目用及び左目用液晶シャッタ７０ａ及び７０ｂと取り付け用リム７０ｃとの間に視力補正レンズ７１及び７２が挟み込まれた状態になる。次いで、この状態で、取り付け用フレーム７０ｆとフレーム７０ｃとの位置合わせを行う。位置合わせ後、ビス７０ｊ、７０ｋ及び７０ｍを取り付け用フレーム７０ｆ及びフレーム７０ｃのビス穴に通し、ビス止めする。これにより、視力補正レンズ７１及び７２は、右目用及び左目用液晶シャッタ７０ａ及び７０ｂに重ねられた状態で液晶シャッタ眼鏡７０に保持される。
【００７２】
実施の形態４では、フレーム７０ｃに対して着脱可能な取り付け用フレーム７０ｆを用いて、視力補正レンズ７１及び７２を液晶シャッタ眼鏡７０に保持する。実施の形態４によれば、簡易な構成で液晶シャッタ眼鏡７０に視力補正の機能をもたせることができる。
【００７３】
実施の形態５
次に、図面を参照して実施の形態５を具体的に説明する。
実施の形態４では、液晶シャッタ眼鏡のフレームに対して取り付け用フレーム７０ｆを用いて視力補正レンズ７１及び７２を液晶シャッタ眼鏡７０に保持させる形態を示した。これに対して、実施の形態５では、可動式の取り付け用フレームを設け、取り付け用フレームを移動させることにより形成される開口から視力補正レンズを挿入することにより視力補正レンズを液晶シャッタ眼鏡に保持させる形態を示す。
【００７４】
図１１は、可動式の取り付け用フレームが装着された液晶シャッタ眼鏡と、視力補正レンズとが分離した状態を示す分解斜視図である。
液晶シャッタ眼鏡８０は、矩形状の右目用及び左目用液晶シャッタ８０ａ及び８０ｂと、フレーム８０ｃとを有する。フレーム８０ｃは、右目用及び左目用液晶シャッタ８０ａ及び８０ｂを保持し全体として略８の字形状を成すシャッタ枠であるリム８０ｉ及び８０ｊと、細長形状のテンプル８０ｄ及び８０ｅと、使用者の鼻に当てられる逆Ｖ字型の切り欠き８０ｆと、矩形状の電源スイッチ８７とを含む。
【００７５】
右目用及び左目用の視力補正レンズ８１及び８２は、液晶シャッタ眼鏡８０の右目用及び左目用液晶シャッタ８０ａ及び８０ｂと略同一の形状及び大きさを有する。
液晶シャッタ眼鏡８０は、可動式の取り付け用フレーム８０ｐを有する。取り付け用フレーム８０ｐは、リム８０ｑ及び８０ｓと、切り欠き８０ｒとを含む。取り付け用フレーム８０ｐは、液晶シャッタ８０ａ及び８０ｂの裏面側に装着される。フレーム８０ｃの裏面及びその裏面側に配置される取り付け用フレーム８０ｐの表面の間に両者を接続する留め具が設けられる。実施の形態５では、留め具として３つのバネ８０ｋ、８０ｍ、８０ｎを用いる。バネは伸縮性を有するため、テンプル８０ｄ及び８０ｅの延出方向に取り付け用フレーム８０ｐを手で動かすことによりバネ８０ｋ、８０ｍ、８０ｎは伸び、取り付け用フレーム８０ｐの位置を若干、フレーム８０ｃから離れた位置に移動させることができる。これにより、フレーム８０ｃの上部及び取り付け用フレーム８０ｐの上部の間に視力補正レンズ８１及び８２を挿入するための開口が形成される。また、取り付け用フレーム８０ｐから手を離した場合、バネ８０ｋ、８０ｍ、８０ｎは縮まり、取り付け用フレーム８０ｐは元の位置に戻る。
【００７６】
開口は、取り付け用フレーム８０ｐの上部であって右目用及び左目用液晶シャッタ８０ａ及び８０ｂの上部近傍に形成され、そこから視力補正レンズ８１及び８２が液晶シャッタ８０a及び８０ｂの裏面側に挿入される。これにより、視力補正レンズ８１及び８２は、右目用及び左目用液晶シャッタ８０ａ及び８０ｂに重ねられた状態で液晶シャッタ眼鏡８０に保持される。
【００７７】
実施の形態５では、可動式の取り付け用フレーム８０ｐを用いて、視力補正レンズ８１及び８２を液晶シャッタ眼鏡８０に保持する。実施の形態５によれば、簡易な構成で液晶シャッタ眼鏡８０に視力補正の機能をもたせることができる。
【００７８】
実施の形態６
次に、図面を参照して実施の形態６を具体的に説明する。
実施の形態２では、液晶シャッタ眼鏡のリムの内縁にラバーを設け、ラバーが視力補正レンズを嵌め込むことにより、視力補正レンズを液晶シャッタ眼鏡に保持させる形態を示した。これに対して、実施の形態６では、液晶シャッタ眼鏡のリムの内縁にラバーを設けると共に、リムの上面にストッパ付きの２つの貫通孔を設け、貫通孔から挿入された視力補正レンズをリムの上面に設けられたストッパにより押さえることにより、視力補正レンズを液晶シャッタ眼鏡に保持させる形態を示す。
【００７９】
図１２は、液晶シャッタ眼鏡と視力補正レンズとが分離した状態を示す分解斜視図である。
液晶シャッタ眼鏡９０は、矩形状の右目用及び左目用液晶シャッタ９０ａ及び９０ｂと、フレーム９０ｃとを有する。フレーム９０ｃは、右目用及び左目用液晶シャッタ９０ａ及び９０ｂを保持し全体として略８の字形状を成すシャッタ枠であるリム９０ｆ及び９０ｇと、リム９０ｆ及び９０ｇの外側縁の短手から延出する細長形状のテンプル９０ｄ及び９０ｅと、使用者の鼻に当てられる逆Ｖ字型の切り欠き９０ｈと、矩形状の電源スイッチ９７とを含む。
【００８０】
右目用及び左目用の視力補正レンズ９１及び９２は、矩形状の右目用及び左目用液晶シャッタと略同一の形状及び大きさを有する。
フレーム９０ｃには、２つの矩形状の貫通孔９０ｎ及び９０ｐと、貫通孔９０ｎ及び９０ｐを閉鎖する蓋としての機能を有する細長形状のストッパ９０ｉ及び９０ｊと、矩形状のフック穴９０ｑ及び９０ｒとが設けられている。また、右目用及び左目用液晶シャッタ９０ａ及び９０ｂを保持するリム９０ｆ及び９０ｇの内縁であって右目用及び左目用液晶シャッタ９０ａ及び９０ｂの裏面側にある内縁には、ラバー９０ｓ及び９０ｔが設けられている。貫通孔９０ｎ及び９０ｐの下には視力補正レンズの収納部が形成されている。
【００８１】
貫通孔９０ｎ及び９０ｐは、右目用及び左目用液晶シャッタ９０ａ及び９０ｂの上部の近傍であってリム９０ｆ及び９０ｇの上面に形成されている。貫通孔９０ｎ及び９０ｐ夫々の短手の片側と可動式のストッパ９０ｉ及び９０ｊ夫々の片側とは連結されている。また、ストッパ９０ｉ及び９０ｊの片側にはフック９０ｋ及び９０ｍが形成されている。ストッパ９０ｉ及び９０ｊにより貫通孔９０ｎ及び９０ｐを閉鎖するためには、使用者は、ストッパ９０ｉ及び９０ｊの当該片側を支点としてストッパ９０ｉ及び９０ｊを貫通孔９０ｎ及び９０ｐ側に倒し、フック９０ｋ及び９０ｍをフック穴９０ｑ及び９０ｒに係合させる。
【００８２】
貫通孔９０ｎ及び９０ｐは通常、ストッパ９０ｉ及び９０ｊにより閉鎖されているため、視力補正レンズ９１及び９２を液晶シャッタ眼鏡９０に装着する場合、使用者は、先ず、フック９０ｋ及び９０ｍをフック穴９０ｑ及び９０ｒから引き抜く。次に、使用者は、ストッパ９０ｉ及び９０ｊを引き上げ、貫通孔９０ｎ及び９０ｐを露出させる。次に、使用者は、視力補正レンズ９１及び９２を貫通孔９０ｎ及び９０ｐから収納部に収納する。視力補正レンズ９１及び９２を貫通孔９０ｎ及び９０ｐから挿入後、使用者は、ストッパ９０ｉ及び９０ｊを倒し、フック９０ｋ及び９０ｍをフック穴９０ｑ及び９０ｒに係合させる。これにより貫通孔９０ｎ及び９０ｐは閉鎖され、視力補正レンズ９１及び９２は、右目用及び左目用液晶シャッタ９０ａ及び９０ｂに重ねられた状態で液晶シャッタ眼鏡９０に保持される。
【００８３】
実施の形態６では、リム９０ｆ及び９０ｇの内縁にはラバー９０ｓ及び９０ｔを設け、フレーム９０ｃには、貫通孔９０ｎ及び９０ｐと、貫通孔９０ｎ及び９０ｐを閉じる可動式のストッパ９０ｉ及び９０ｊとを設ける。実施の形態６によれば、ストッパ９０ｉ及び９０ｊが設けられているため、リム９０ｆ及び９０ｇ内に挿入された視力補正レンズ９１及び９２がラバー９０ｓ及び９０ｔから跳ね返り、外部に飛び出すことを防ぐことができる。
尚、貫通孔９０ｎ及び９０ｐとストッパ９０ｉ及び９０ｊの設置場所は、リム９０ｆ及び９０ｇの上面に限定されず、例えば、リム９０ｆ及び９０ｇの側面又は下面に設置してもよい。また、貫通孔９０ｎ及び９０ｐがリム９０ｆ及び９０ｇの上面又は側面に設置され、視力補正レンズ９１及び９２が液晶シャッタ眼鏡９０内に安定して保持されている場合、ストップは必ずしも必要ない。
【００８４】
実施の形態７
次に、図面を参照して実施の形態７を具体的に説明する。
実施の形態２〜６では、液晶シャッタ眼鏡に着脱可能な視力補正レンズを右目用及び左目用液晶シャッタの裏面側に保持させる形態を示した。これに対して、実施の形態７では、液晶シャッタ眼鏡に視力補正レンズを常設し、３Ｄ映像を視聴する際、視力補正レンズを右目用及び左目用液晶シャッタの表面側に回動させる形態を示す。
【００８５】
図１３は、液晶シャッタ眼鏡に視力補正レンズが取り付けられている状態を示す斜視図である。
液晶シャッタ眼鏡１００は、矩形状の右目用及び左目用液晶シャッタ１０ａ及び１０ｂと、フレーム１０ｃと、矩形状の視力補正レンズ１０ｉ及び１０ｊと、略円柱状の連結部１０ｋ及び１０ｍとを有する。フレーム１０ｃは、右目用及び左目用液晶シャッタ１０ａ及び１０ｂを保持し全体として略８の字形状を成すシャッタ枠であるリム１０ｆ及び１０ｇと、リム１０ｆ及び１０ｇの外側縁の短手から延出する細長形状のテンプル１０ｄ及び１０ｅと、使用者の鼻に当てられる逆Ｖ字型の切り欠き１０ｈと、矩形状の電源スイッチ１７とを含む。連結部１０ｋ及び１０ｍは例えばヒンジである。
【００８６】
右目用及び左目用の視力補正レンズ１０ｉ及び１０ｊは、液晶シャッタ眼鏡１００の右目用及び左目用液晶シャッタ１０ａ及び１０ｂと略同一の形状及び大きさを有する。
視力補正レンズ１０ｉ及び１０ｊは、連結部１０ｋ及び１０ｍを介してフレーム１０ｃに連結している。視力補正レンズ１０ｉ及び１０ｊは連結部１０ｋ及び１０ｍを支点として右目用及び左目用液晶シャッタ１０ａ及び１０ｂの表面側に回動可能である。使用者は、３Ｄ映像を視聴する際、視力補正レンズ１０ｉ及び１０ｊを右目用及び左目用液晶シャッタ１０ａ及び１０ｂの表面側に回動させる。
尚、視力補正レンズ１０ｉ及び１０ｊが右目用及び左目用液晶シャッタ１０ａ及び１０ｂの裏面側に回動させることができる連結部を用いてもよい。
【００８７】
実施の形態７では、視力補正レンズ１０ｉ及び１０ｊを連結部１０ｋ及び１０ｍを介して液晶シャッタ眼鏡１００のフレーム１０ｃに連結している。そのため、３Ｄ映像を視聴する際、視力補正レンズ１０ｉ及び１０ｊを右目用及び左目用液晶シャッタ１０ａ及び１０ｂの表面側に回動させるだけで済む。つまり、視力補正レンズの取り付け及び取り外しが不要であるため使用者にとって使い勝手がよく、さらに、視力補正レンズを紛失することもない。
【００８８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８９】
１  表示装置
２、５０、６０、７０、８０、９０、１００  液晶シャッタ眼鏡
３  視力補正眼鏡部
４  液晶シャッタ部
４ａ、６０ａ、７０ａ、８０ａ、９０ａ  右目用液晶シャッタ
４ｂ、６０ｂ、７０ｂ、８０ｂ、９０ｂ  左目用液晶シャッタ
３５、３６  メス型コネクタ
１７、３７、５７、６７、７７、８７、９７  電源スイッチ
４５、４６  オス型コネクタ
４７  同期信号受信部
５０ｉ、５０ｊ  ラバー
６０ｉ、６０ｋ、６０ｎ  ホルダ
６０ｊ、６０ｍ、６０ｐ、７０ｊ、７０k、７０ｍ  ビス
８０ｋ、８０ｍ、８０ｎ  バネ
８０ｐ、７０ｆ  取り付け用フレーム
９０ｓ、９０ｔ  ラバー
９０ｉ、９０ｊ  ストッパ
９０ｋ、９０ｍ  フック
９０ｎ、９０ｐ  貫通孔
９０ｑ、９０ｒ  フック穴
１０ｋ、１０ｍ  連結部
３００  液晶シャッタ眼鏡制御部
３１０  電池
３３０  液晶シャッタ駆動部
３４０  眼鏡用ポート
３５０  タイマ
【図１】
2012155156.tif 000003
【図２】
2012155156.tif 000004
【図３】
2012155156.tif 000005
【図４】
2012155156.tif 000006
【図５】
2012155156.tif 000007
【図６】
2012155156.tif 000008
【図７】
2012155156.tif 000009
【図８】
2012155156.tif 000010
【図９】
2012155156.tif 000011
【図１０】
2012155156.tif 000012
【図１１】
2012155156.tif 000013
【図１２】
2012155156.tif 000014
【図１３】
2012155156.tif 000015